(57)【要約】【課題】  汚れを容易にふき取ることができ、液体が中綿にしみ込み難い炬燵用掛布団の側及び炬燵掛布団用カバーの提供。【解決手段】  炬燵用掛布団の側又は炬燵掛布団用カバーであって、表地の５０乃至１００％（面積比）は、ポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、表地の５０〜０％（面積比）と裏地は、織物、編物及び不織布からなる群から選択される一種以上で構成されており、且つ、表地と裏地とが分離可能であることを特徴とする炬燵用掛布団の側又は炬燵掛布団用カバーを用いる。【選択図】  図１
2005118186.tif 000002
【特許請求の範囲】
【請求項１】
炬燵用掛布団の側又は炬燵掛布団用カバーであって、表地の５０乃至１００％（面積比）は、ポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、表地の５０〜０％（面積比）と裏地は、織物、編物及び不織布からなる群から選択される一種以上で構成されており、且つ、表地と裏地とが分離可能であることを特徴とする炬燵用掛布団の側又は炬燵掛布団用カバー。
【請求項２】
表地の中心部に、織物、編物及び不織布からなる群から選択される一種以上で構成されている部分がある、請求項１に記載の炬燵用掛布団の側又は炬燵掛布団用カバー。
【請求項３】
中心部が、一辺の長さが６０ｃｍ乃至１５０ｃｍの長方形又は正方形である、請求項２に記載の炬燵用掛布団の側又は炬燵掛布団用カバー。
【請求項４】
ポリマー・シートが、塩化ビニール、ポリウレタン、ポリエステル、アクリル及びポリオレフィンからなる群から選択されるポリマーのシートである、請求項１乃至３のいずれか１項に記載の炬燵用掛布団の側又は炬燵掛布団用カバー。
【請求項５】
表地と裏地とを分離可能とするための着脱手段が、ファスナー、面ファスナー、スナップ、ヒモ、又はボタンである、請求項１乃至４のいずれか１項にに記載の炬燵用掛布団の側又は炬燵掛布団用カバー。
【発明の詳細な説明】
【技術分野】
【０００１】
本発明は、炬燵用掛布団の側及び炬燵掛布団用カバーに関する。
【背景技術】
【０００２】
炬燵は、我が国独自の生活文化に根付いた家具であるため、従来より、布団の側（表面）には布地を使用した炬燵用掛布団が使用されてきた。しかし、布地は汚れが取れ難い上、液体をこぼした場合には、中綿にしみ込んでしまう。そこで、子供のいる家庭等においては、炬燵用掛布団を炬燵掛布団用カバーで被ったり、その上にさらにビニール製の炬燵上掛けを掛けている。
【０００３】
しかし、一旦汚してしまうと、炬燵用掛布団の側や炬燵掛布団用カバーは、着脱に手間がかかると共に、大きいために洗濯も容易ではない。炬燵用掛布団の側又は炬燵掛布団用カバーは、一方の面のみが汚れる場合もあるが、そのような場合でも、全体を洗濯しているという現状がある。
【０００４】
一般の布団用のカバーであるが、特許文献１には、布団カバーの上布と下布が、ファスナー、釦等の接合手段により全体的に分離可能に接合されている布団カバーが、特許文献２には、カバーの掛け替えと、身体に接するカバー面の洗濯を容易にするため、掛け布団ガバー三辺に対し２分の１づつ２本のオープンファスナーを取り付け、敷き布団カバー四辺に対し２分の１づつ２本のオープンファスナーを取り付けた上下分離型布団カバーが開示されている。これらの布団カバーは、布団カバーの掛け替えや洗濯を容易にすべく考案されたものである。
【０００５】
また、特許文献３には、その請求項２に、略長方形で袋状の本体部の周縁全体に、開閉自在な開口部が設けられているとともに、前記本体部の内側の一部あるいは全部のコーナーに、２本１組のヒモ状の布団止めが設けられている布団カバーが開示されている。この布団カバーも、布団カバーの掛け替えを容易にすべく発明されたものである。また、この布団カバーには、コーナーに布団止めが設けられているので、布団カバー内で布団がずれ難いという効果もある。
【０００６】
一方、特許文献４には、布団カバーに布団を収納する際の隅部位置調整を容易にするために、布団カバーの隅部２個所を開口させ、その開口個所に布団の隅部を入れるポケットを取り付けてなる布団カバーが開示されている。この布団カバーにおいて、開口個所は、面ファスナーで閉鎖される。また、特許文献４には、開口個所にポケットを設ける代わりに２本１組のヒモを取り付けてなる布団カバーも開示されている。
【０００７】
【特許文献１】実開平４−４５４６２号公報
【０００８】
【特許文献２】実用新案登録第３０８８６４９号公報
【特許文献３】特開平１０−３３３４１号公報
【特許文献４】特開平１０−２７６８８１号公報
【発明の開示】
【発明が解決しようとする課題】
【０００９】
本発明の目的は、汚れを容易にふき取ることができ、液体が中綿にしみ込み難い炬燵用掛布団の側及び炬燵掛布団用カバーを提供することにある。
【００１０】
本発明の他の目的は、炬燵用掛布団の側及び炬燵掛布団用カバーにおいて、表地と裏地とを分離でき、一方のみを洗濯することができる炬燵用掛布団の側及び炬燵掛布団用カバーを提供することにある。
【００１１】
本発明のさらに他の目的は、炬燵掛布団用カバーであって、その掛け替えが容易であり、且つ、カバー内で布団がずれ難いものを提供することにある。
【課題を解決するための手段】
【００１２】
本発明者らは、上記目的を達成すべく鋭意検討し、本発明を完成させた。
【００１３】
即ち、本発明は、炬燵用掛布団の側又は炬燵掛布団用カバーであって、表地の５０乃至１００％（面積比）は、ポリマー・シートと織物、編物及び不織布からなる群から選択される一種以上との積層体であって外表面にポリマー・シートが配置されているものあるいはフッ素コーティング処理がなされた織物、編物及び不織布からなる群から選択される一種以上で構成されており、表地の５０〜０％（面積比）と裏地は、織物、編物及び不織布からなる群から選択される一種以上で構成されており、且つ、表地と裏地とが分離可能であることを特徴とする炬燵用掛布団の側又は炬燵掛布団用カバーに関する。
【００１４】
「積層体」とは、シート状のものが二枚以上積み重ねられて接着されているものをいう。本発明における「積層体」は、ポリマー・シート層が一層以上と、織物、編物及び不織布からなる群から選択される一種以上の層が一層以上あり、少なくとも一方の最外層がポリマー・シート層であるものであればよい。本発明では、積層体は、ポリマー・シートの層のある側が、炬燵用掛布団や炬燵掛布団用カバーの外表面となるように配置されて使用される。
【００１５】
ポリマー・シートは、塩化ビニール、ポリウレタン、ポリエステル、アクリル及びポリプロピレンからなる群から選択されるポリマーのシートであることが好ましい。塩化ビニール、ポリウレタン、ポリエステル及びポリオレフィン（例えばポリプロピレン）からなる群から選択される材料で作製された銀面調の合成皮革であることが、さらに好ましい。
【００１６】
表地の中心部に、織物、編物及び不織布からなる群から選択される一種以上で構成されている部分があることが好ましい。
【００１７】
この中心部は、概略、炬燵の上面に載る部分である。従って、中心部の大きさ及び形状は、例えば、一辺の長さが６０ｃｍ乃至１５０ｃｍの長方形又は正方形である。
【００１８】
表地と裏地とを分離可能とするための着脱手段の例として、ファスナー、面ファスナー、スナップ、ヒモ、ボタンが挙げられる。
【００１９】
本発明の炬燵掛布団用カバーには、その形状が長方形又は正方形であり、表地又は裏地の四隅には、二等辺三角形のポケットであってその等辺の長さが２０乃至５０ｃｍのものが設けられているという態様が包含される。
【００２０】
前記二等辺三角形のポケットそれぞれの内部に、炬燵用掛布団の四隅を係止するための２本のヒモが設けられていてもよい。
【００２１】
本発明の炬燵掛布団用カバーには、その形状が長方形又は正方形であり、表地と裏地とを分離可能とするための第一の着脱手段がファスナーであり、ファスナーは、四隅部分を残して長方形又は正方形の四辺の各々に縫着されており、且つ、表地と裏地各々の四隅には、表地と裏地とを分離可能とするための第二の着脱手段である面ファスナー、スナップ又はヒモが縫着されてされているか、あるいは、表地（又は裏地）にはボタンが縫着されてされており、裏地（又は表地）にはボタン穴が形成されているという態様が包含される。
【発明の効果】
【００２２】
本発明により、汚れを容易に拭き取ることができ、液体が中綿にしみ込み難い炬燵用掛敷布団の側及び炬燵掛布団用カバーが提供される。
【００２３】
本発明により、着脱が容易な炬燵用掛敷布団の側及び炬燵掛布団用カバーが提供される。
【００２４】
本発明の炬燵用掛敷布団の側及び炬燵掛布団用カバーにおいては、表地と裏地の中、一方のみを洗濯することが可能である。特に、表地は裏地と比べて洗濯に対する耐性が小さいので、裏地のみを洗濯したり、表地と裏地とを異なる洗濯条件で洗濯できるということは有利である。
【００２５】
表地の中心部が織物、編物及び不織布からなる群から選択される一種以上で構成されている本発明の炬燵用掛布団及び炬燵掛布団用カバーの場合には、中心部にはポリマー・シートが使用されていないため、通気性に優れ、よって温度が高くなっても湿ることがない。また、中心部にはポリマー・シートが使用されていないので、炬燵のヒーターの熱によるポリマー・シートの劣化が生じない。
【００２６】
本発明の炬燵掛布団用カバーにおいて、その形状が長方形又は正方形であり、表地又は裏地の四隅には、二等辺三角形のポケットであってその等辺の長さが２０乃至５０ｃｍのものが設けられているもの、前記二等辺三角形のポケットそれぞれの内部に、炬燵用掛布団の四隅を係止するための２本のヒモが設けられているものにあっては、カバー内において掛布団がずれ難いという効果も得られる。
【００２７】
本発明の炬燵掛布団用カバーにおいて、その形状が長方形又は正方形であり、表地と裏地とを分離可能とするための第一の着脱手段がファスナーであり、ファスナーは、四隅部分を残して長方形又は正方形の四辺の各々に縫着されており、且つ、表地と裏地各々の四隅には、表地と裏地とを分離可能とするための第二の着脱手段である面ファスナー、スナップ又はヒモが縫着されてされているか、あるいは、表地（又は裏地）にはボタンが縫着されてされており、裏地（又は表地）にはボタン穴が形成されているものにあっては、掛布団の隅部の位置調整が容易であるという効果も得られる。
【発明を実施するための最良の形態】
【００２８】
以下に、図面を参照して、本発明を具体的に説明する。
【００２９】
なお、図面においては、布の切断部の始末縫い（三つ折縫いやバイアステープ処理）に関しては、描画を省略してある。
【００３０】
図１は、本発明の炬燵用掛布団の側の一例を示す平面模式図である。同図中、（Ａ）は表地（表面）１０を、（Ｂ）は裏地（裏面）５０を示す。
【００３１】
炬燵用掛布団の側１００においては、表地１０は、すべて（面積比で１００％）が、図２にその断面図を示す、外表面側から順にポリウレタン製合成皮革１、塩化ビニール製合成皮革２及びガーゼ織物３の積層体７で構成されており、裏地５０は、木綿とポリエステルとの混紡糸製布地である。
【００３２】
ここで、ポリウレタン製合成皮革１の厚さは８μｍ、塩化ビニール製合成皮革２の厚さは２μｍであり、ガーゼ織物３は、タテ糸、ヨコ糸がいずれも３０番手の木綿糸であり、織込み密度は４０本×３０本／インチであるものである。また、ポリウレタン製合成皮革１、塩化ビニール製合成皮革２及びガーゼ織物３は、公知の接着剤によって接着されて積層体７となっている。
【００３３】
表地１０と裏地５０の各々の四辺には、ファスナー２１が縫着されている。これらのファスナー２１により、表地１０と裏地５０とが着脱される。
【００３４】
図３は、本発明の炬燵用掛布団の側の他の例を示す平面模式図である。同図中、（Ａ）は表地（表面）１０を、（Ｂ）は裏地（裏面）５０を示す。
【００３５】
炬燵用掛布団の側２００では、綿ブロードからなる中心部１２と、熱可塑性ポリオレフィン・エラストマー製の合成皮革（外表面側）と不織布（内表面側）とが接着されてなる積層体製の外周部１４の一部（同図中、１４ａで示されている部分）とが、縫製によって接合されて表地１０を構成している。中心部１２の面積は、表地１０の面積中、約２５％を占めている。
【００３６】
裏地５０には、綿ブロードを用いている。裏地５０は、中心部と外周部とに分かれておらず、一枚の布地である。
【００３７】
外周部１４は、表地１０を構成する部分１４ａと、裏地５０側に折込まれる四つの側部１４ｂとからなる。側部１４ｂと裏地５０の四辺の際には、面ファスナー２３が縫着されている。これらの面ファスナー２３により、表地１０と裏地５０とが着脱される。
【００３８】
図１及び図３に示した炬燵用掛布団の側１００，２００は、中綿を被う形で使用される。ここで、「中綿」とは、炬燵用掛布団の中に詰められる詰め物をいい、その材料等は、特に限定されない。中綿は、例えば、天然綿（木綿わた）、合繊綿、スポンジ、パンヤである。
【００３９】
また、図１及び図３に示した炬燵用掛布団の側１００，２００は、本発明の炬燵掛布団用カバーとしても用いることができる。
【００４０】
図４は、本発明の炬燵掛布団用カバーの一例であるその形状が長方形又は正方形の炬燵掛布団用カバーにおける、四隅部分の平面模式図である。同図中、（Ａ）は表地（表面）１０を、（Ｂ）は裏地（裏面）５０を示す。
【００４１】
炬燵掛布団用カバー３００は、フッ素コーティング処理された綿織物製の表地１０、木綿とポリエステルとの混紡糸製布地の裏地５０、及び４組のファスナー２１を備えてなる。
【００４２】
炬燵掛布団用カバー３００の表地１０の四隅部分それぞれには、二等辺三角形の布が縫い付けられており、この布と表地１０の四隅部分とで、ポケット３１が形成されている。また、ポケット３１それぞれの内部に、炬燵用掛布団の四隅を係止するための２本１組のヒモ３３，３３が設けられていている。
【００４３】
ポケット３１には、炬燵用掛布団の隅が挿入される。炬燵用掛布団の隅には、通常、ヒモがその両端が縫い込まれて配置されている。この炬燵用掛布団の隅にあるヒモに、炬燵掛布団用カバー３００の２本１組のヒモ３３，３３の中の１本を通し、次いで２本のヒモ３３，３３を結ぶことにより、炬燵用掛布団の隅をポケット３１内において係止することができる。
【００４４】
ポケット３１の等辺の長さは、特に限定されないが、通常は２０乃至５０ｃｍ程度である。また、ヒモ３３の長さも特に限定されないが、通常は５乃至１５ｃｍ程度である。
【００４５】
図５は、本発明の炬燵掛布団用カバーの他の例における四隅部分の平面模式図である。同図中、（Ａ）は表地（表面）１０を、（Ｂ）は裏地（裏面）５０を示す。この図においては、ヒモ３３の描画は省略してある。
【００４６】
炬燵掛布団用カバー４００では、表地１０の四隅部分それぞれにはヒモ３５ａが、裏地５０の四隅部分それぞれにはヒモ３５ｂが縫い込まれている。炬燵掛布団用カバー４００の四隅部分には、ファスナー２１が縫着されていないので、ヒモ３５ａとヒモ３５ｂとを結ぶことにより、表地１０と裏地５０の四隅部分を接合させる。
【００４７】
図６は、本発明の炬燵掛布団用カバーのさらに他の例における四隅部分の平面模式図である。同図中、（Ａ）は表地（表面）１０を、（Ｂ）は裏地（裏面）５０を示す。この図においては、ヒモ３３の描画は省略してある。
【００４８】
炬燵掛布団用カバー５００では、表地１０の四隅部分それぞれにはスナップ３７ａが、裏地５０の四隅部分それぞれにはスナップ３７ｂが縫着されている。炬燵掛布団用カバー５００の四隅部分には、ファスナー２１が縫着されていないので、スナップ３７ａにスナップ３７ｂを止めることにより、表地１０と裏地５０の四隅部分を接合させる。
【００４９】
本発明の炬燵用掛布団の側及び炬燵掛布団用カバーにおいて、「表地」とは、炬燵を設置したときに見える方の面を、「裏地」とは、炬燵に対向する面をいう。
【００５０】
表地は、面積比でその５０乃至１００％が、ポリマー・シートと織物、編物及び不織布からなる群から選択される一種以上との積層体であって外表面にポリマー・シートが配置されているものあるいフッ素コーティング処理がなされた織物、編物及び不織布からなる群から選択される一種以上でできている。
【００５１】
「ポリマー・シート」とは、合成、半合成、天然に関わらず、ポリマー（重合体又は樹脂）で製造されているシート状のものをいう。
【００５２】
「ポリマー・シート」の例として、合成皮革（「人工皮革」を包含する）が挙げられる。合成皮革の材料として、例えば、塩化ビニール、ポリウレタン、ポリエステル、アクリル及びポリオレフィン（例えばポリプロピレン）が知られている。
【００５３】
合成皮革には、銀面調のもの、スエード調ののもの、ヌバック調のもの、ベロア調のもの等が知られている。本発明においては、いずれも使用可能であるが、汚れを水拭きによって容易に除去できるという観点から、塩化ビニール、ポリウレタン、ポリエステル及びポリオレフィン（例えばポリプロピレン）からなる群から選択される材料で作製された銀面調の合成皮革が好ましい。
【００５４】
本発明の積層体において、ポリマー・シートの総厚（一層のみの場合はその厚さ、二層以上が積層されている場合にはその合計）は、５乃至１５μｍであることが好ましく、６乃至１０μｍであることがさらに好ましい。
【００５５】
積層体の各層を構成する材料を接着するための接着剤には、公知の接着剤が、ポリマー・シートや織物等の材質に応じて選択されて使用される。
【００５６】
また、ポリマー・シート層は、基材である織物、編物及び不織布からなる群から選択される一種以上にコーティング加工を行うことにより、形成してもよい。さらに、ポリマー・シート層が二層以上ある場合には、一方のポリマー・シート層上に、コーティング加工によって他方のポリマー・シート層を形成してもよい。
【００５７】
本発明の積層体において、織物、編物及び不織布からなる群から選択される一種以上は、基材として用いられる。織物、編物、不織布の材質等は、特に限定されない。寝具用に用いられているものであれば、いずれでもよい。なお、これらの中のいずれが用いられる場合も、薄手のものでよく、ポリマー・シートの基布としての強度を備えていればよい。
【００５８】
本発明では、前記積層体の代りに、フッ素コーティング処理がなされた織物、編物又は不織布を用いてもよい。フッ素コート層は、透湿性はあるが、水分は通さないという性質を有する。フッ素コーティング処理は、公知の方法によって行うことができる。また、フッ素コーティング処理がなされた織物、編物、不織布は、市販品を用いてもよい。
【００５９】
本発明の炬燵用掛布団の側及び炬燵掛布団用カバーは、表地の５０乃至１００％（面積比）が、ポリマー・シートと織物、編物及び不織布からなる群から選択される一種以上との積層体であって外表面にポリマー・シートが配置されているものあるいフッ素コーティング処理がなされた織物、編物及び不織布からなる群から選択される一種以上で構成されている。これら積層体等が占める面積の比率は、表地の好ましくは６０乃至９０％、さらに好ましくは７０乃至８０％である。これら積層体等が占める面積の比率が小さすぎると、容易に汚れを除去できる部分が小さすぎることになる。
【００６０】
表地の残部（面積比で５０〜０％）と裏地は、織物（いわゆる布）、編物及び不織布からなる群から選択される一種以上で構成されている。これらの材質等は、特に限定されない。寝具用に用いられているものであれば、いずれでもよい。表地の残部と裏地に使用される織物、編物及び不織布の材質の例として、木綿、羊毛、絹、麻等の天然繊維、ポリエステル、ポリプロピレン、アクリル、レーヨン等の合成又は再生繊維が挙げられる。
【００６１】
表地の残部は、表地の中心部に存在することが好ましい。中心部の形状及び大きさは、特に限定されないが、炬燵の櫓の上面部分と略同一の形状及び大きさであることが好ましい。この部分は、炬燵の中でもっとも高温となる部分であるから、通気性に優れる材料で作製されることが望まれるからである。また、この部分には通常は天板を載せるので、この部分に食べこぼし等をすることは少ないと考えられ、よって、この部分の表面は、汚れを容易に拭き取ることができるポリマー・シート製あるいはフッ素コーティング処理がなされた織物、編物又は不織布製でなくてもよいからである。
【００６２】
中心部の形状の例として、長方形及び正方形が、また、その大きさの例として、一辺の長さで表して６０ｃｍ乃至１５０ｃｍ（より好ましくは７０ｃｍ乃至１００ｃｍ）が挙げられる。
【００６３】
表地と裏地とを分離可能にする、即ち、表地を裏地に着脱するための手段は、特に限定されないが、例を挙げると、ファスナー、面ファスナー、スナップ、ヒモ、又はボタンの利用がある。
【００６４】
ファスナーを利用する場合、ファスナーは、炬燵用掛布団の側又は炬燵掛布団用カバーの外周を一周する長さの１組のみを用いても、その外周の長さの１／２の長さのものを２組用いても、あるいは、炬燵用掛布団の側又は炬燵掛布団用カバーが方形である場合に、各辺に対応して４組を使用してもよい。
【００６５】
炬燵掛布団用カバーにおいて、４組のファスナーを使用する場合には、四隅にはファスナーが縫着されていなくてもよい。このような態様とすると、中綿や布団の隅位置の調整が容易となる。また、この場合、表地の隅と裏地の隅とは、別の手段（例えば、ヒモ、スナップ、ボタン、面ファスナー）によって接合されることが好ましい。
【００６６】
面ファスナーとは、マジックテープ、フリーマジック、マジロック、モールドインファスナー、マジックハード、マルチロック（いずれもクラレ株式会社の登録商標）等の、ループやフックが係合してくっつくタイプのファスナーをいう。
【００６７】
なお、本発明の炬燵用掛布団の側及び炬燵掛布団用カバーは、その形状や大きさが限定されるものではない。その形状及び大きさは、使用する炬燵に対応する。形状の例としては、正方形、長方形、円形、楕円形が挙げられる。
【図面の簡単な説明】
【００６８】
【図１】本発明の炬燵用掛布団の側の一例を示す平面模式図である。
【図２】本発明で用いる積層体の一例を示す部分断面図である。
【図３】本発明の炬燵用掛布団の側の他の例を示す平面模式図である。
【図４】本発明の炬燵掛布団用カバーの一例の四隅部分を示す平面模式図である。
【図５】本発明の炬燵掛布団用カバーの他の例の四隅部分を示す平面模式図である。
【図６】本発明の炬燵掛布団用カバーのさらに他の例の四隅部分を示す平面模式図である。
【符号の説明】
【００６９】
７  積層体
１０  表地
１２  中心部
１４  外周部
２１  ファスナー
２３  面ファスナー
３１  ポケット
３３  ヒモ
３５  ヒモ
３７  スナップ
５０  裏地
１００，２００  炬燵用掛布団の側
３００，４００，５００  炬燵掛布団用カバー
【図１】
2005118186.tif 000003
【図２】
2005118186.tif 000004
【図３】
2005118186.tif 000005
【図４】
2005118186.tif 000006
【図５】
2005118186.tif 000007
【図６】
2005118186.tif 000008